(57)【特許請求の範囲】
【請求項１】
化粧料を収容する容器本体、容器本体と蝶着している蓋体、及び三面鏡を備えたコンパクト容器であって、
三面鏡が、それぞれ枠体に取り付けられた中央鏡、第１袖鏡及び第２袖鏡からなり、
第１袖鏡枠体及び第２袖鏡枠体が、中央鏡枠体の両端部に蝶番により取り付けられ、
三面鏡が閉じた状態で、中央鏡、第１袖鏡及び第２袖鏡が順次重なり、
第１袖鏡を開き、第２袖鏡を閉じた状態で、第２袖鏡枠体が第１袖鏡枠体の鏡側の面に接し、
第２袖鏡枠体の第１袖鏡側端部の曲率半径に対して、第１袖鏡枠体の第１袖鏡蝶番側縁辺から第１袖鏡の面内に至る第１袖鏡端部領域の表面凹凸が十分に滑らかであるコンパクト容器。
【請求項２】
第２袖鏡枠体の第１袖鏡側端部の曲率半径が、第１袖鏡端部領域の表面凹凸の曲率半径よりも大きい請求項１記載のコンパクト容器。
【請求項３】
第２袖鏡枠体の第１袖鏡側端部の曲率半径が、第１袖鏡端部領域の表面凹凸の段差の高さ及び隙間の幅よりも大きい請求項１記載のコンパクト容器。
【発明の詳細な説明】
【技術分野】
【０００１】
本発明は、ファンデーション、チーク、アイシャドウ等の化粧料を収容する鏡付のコンパクト容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、中央鏡と袖鏡からなる三面鏡を蓋体の内側に取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
コンパクト容器に取り付けられる三面鏡においては、携帯性の点から小さく収容でき、かつ鏡面をできるだけ広く確保できるようにするため、三面鏡が閉じた状態で、中央鏡とその両側の袖鏡が順次重なり、隙間なく折りたたまれるようにすることが望ましい。この三面鏡を閉じた状態での鏡の重なりの順序が、中央鏡、第１袖鏡、第２袖鏡の順であるとすると、開いている三面鏡を閉じる際には、第１袖鏡を第２袖鏡よりも先に閉じることが必要となる。第２袖鏡を第１袖鏡よりも先に閉じ、次いで第１袖鏡を閉じようとしても、第１袖鏡は、閉じたままの第２袖鏡の端部につかえて閉じることができず、無理に閉じようとすると鏡の取付部が破損することがある。
【０００５】
しかしながら、コンパクト容器の一般使用者にとって、一旦開いた三面鏡を閉じる際に、中央鏡の両側にある袖鏡のうち、何れを先に閉じるべきかは、容易にわかるものではない。
【０００６】
これに対し、本発明は、閉じた状態で中央鏡上に第１袖鏡と第２袖鏡とが順次重なるようにした三面鏡において、開いている三面鏡を閉じる際に、誤って第１袖鏡よりも先に第２袖鏡を閉じ、次いで第１袖鏡を閉じ始めた場合に、閉じていた第２袖鏡が第１袖鏡の障害となることを解消し、第１袖鏡を無理に閉じて鏡の取付部を破損にいたらしめるような操作がなされないようにすることを目的とする。
【課題を解決するための手段】
【０００７】
本発明者らは、閉じた状態で中央鏡上に第１袖鏡と第２袖鏡とが順次重なるようにした三面鏡において、それを一旦開いた後閉じる際に、誤って第１袖鏡よりも先に第２袖鏡を閉じ、次いで第１袖鏡を閉じ始めた場合でも、第１袖鏡が閉じるのに応じて閉じていた第２袖鏡が開き始め、第２袖鏡の端部が第１袖鏡の閉じる操作の障害とならないようにすることが有効であること、このためには、第１袖鏡を開いた状態で第２袖鏡を閉じたときに、第２袖鏡枠体が第１袖鏡枠体の鏡側の面に接するようにし、かつその近傍の第１袖鏡枠体と第１袖鏡の表面凹凸を十分に滑らかにしておくことが有効であることを見出した。
【０００８】
即ち、本発明は、化粧料を収容する容器本体、容器本体と蝶着している蓋体、及び三面鏡を備えたコンパクト容器であって、
三面鏡が、それぞれ枠体に取り付けられた中央鏡、第１袖鏡及び第２袖鏡からなり、
第１袖鏡枠体及び第２袖鏡枠体が、中央鏡枠体の両端部に蝶番により取り付けられ、
三面鏡が閉じた状態で、中央鏡、第１袖鏡及び第２袖鏡が順次重なり、
第１袖鏡を開き、第２袖鏡を閉じた状態で、第２袖鏡枠体が第１袖鏡枠体の鏡側の面に接し、
第２袖鏡枠体の第１袖鏡側端部の曲率半径に対して、第１袖鏡枠体の第１袖鏡蝶番側縁辺から第１袖鏡の面内に至る第１袖鏡端部領域の表面凹凸が十分に滑らかであるコンパクト容器を提供する。
【発明の効果】
【０００９】
本発明のコンパクト容器によれば、三面鏡が閉じた状態で、中央鏡、第１袖鏡及び第２袖鏡が順次重なるので携帯性に優れ、かつ三面鏡を開いた状態から閉じる際に誤って第１袖鏡よりも先に第２袖鏡を閉じ、次いで第１袖鏡を閉じ始めると、それに応じて閉じていた第２袖鏡が開き始めるので、これにより、コンパクト容器の使用者は、第１袖鏡と第２袖鏡を閉じる順序が逆であったことを知ることができる。
【００１０】
また、このように第２袖鏡が開き始めることにより、第２袖鏡の端部が第１袖鏡の閉じる操作の障害とはならなくなるので、第１袖鏡を無理に閉じる操作が解消され、第１袖鏡の鏡の取付部が破損することを防止できる。
【発明を実施するための最良の形態】
【００１１】
以下、図面を参照しつつ、本発明を詳細に説明する。なお、各図中、同一符号は同一又は同等の構成要素を表している。
【００１２】
図１Ａは、三面鏡を備えた本発明の一実施例のコンパクト容器１Ａであって、三面鏡１０を開いた状態の斜視図であり、図１ＢはそのＸ−Ｘ断面図である。
【００１３】
このコンパクト容器１Ａは、三面鏡１０、ファンデーション、チーク、アイシャドウ等の化粧料Ａを収容する容器本体２０、及び容器本体２０の開口面を開閉自在に覆う蓋体３０からなり、三面鏡１０は中央鏡１１と左右一対の第１袖鏡１４ａと第２袖鏡１４ｂからなる。
【００１４】
容器本体２０には、化粧料Ａの他にスポンジ２１が収容されている。容器本体２０には、さらに必要に応じて、はけ、ブラシ等の化粧用具が収容されるようにしてもよい（図示せず）。
【００１５】
蓋体３０は、蓋外側部材３１に中央鏡枠体１２を接合したものからなり、この中央鏡枠体１２に中央鏡１１が接着剤、粘着剤等により貼着されている。蓋体３０は、中央鏡１１の下端側で容器本体２０と蝶着している。
【００１６】
一対の袖鏡１４ａ、１４ｂは、袖鏡枠体１５ａ、１５ｂに接着剤、粘着剤等により貼着され、袖鏡枠体１５ａ、１５ｂが、中央鏡枠体１２の左右両端部の蝶番部材１８ａ、１８ｂに、袖鏡枠体の蝶番部材１９ａ、１９ｂをピンで掛合することにより蝶着されている。
【００１７】
図２は、図１Ａのコンパクト容器１Ａにおいて、中央鏡１１、第１袖鏡１４ａ、第２袖鏡１４ｂを順次重ね合わせて三面鏡１０を閉じ、蓋体３０を閉じた状態のＸ−Ｘ方向の断面図である。このようにこのコンパクト容器１Ａでは、三面鏡１０の中央鏡１１と第１袖鏡１４ａと第２袖鏡１４ｂとがちょうど重なり合うように、それらの枠体１２、１５ａ、１５ｂが蝶着されている。したがって、コンパクト容器１Ａ内において、三面鏡１０の鏡面の面積をできる限り広く確保することが可能となる。
【００１８】
第１袖鏡枠体１５ａの鏡側の面の周縁部及び第２袖鏡枠体１５ｂの鏡側の面の周縁部には、それぞれの鏡面から突出し、縁辺に沿って延びたリブ１６ａ、１６ｂが設けられている。三面鏡１０を閉じた場合には、図２に示すように、第１袖鏡枠体１５ａの周縁部のリブ１６ａは、対向する中央鏡枠体１２に当接し、第２袖鏡枠体１５ｂの周縁部のリブ１６ｂは、対向する第１袖鏡枠体１５ｂの背面に当接する。これらのリブによって、コンパクト容器１Ａの持ち運び時の揺れや、誤って落下させた場合の衝撃が吸収され、鏡が破損することが防止される。特に、このコンパクト容器１Ａにおいては、図示したように、第１袖鏡枠体１５ａの周縁部のリブ１６ａが、第１袖鏡枠体１５ａの蝶番部材１９ａと反対側の縁部に位置し、第２袖鏡枠体１５ｂの周縁部のリブ１６ｂも第２袖鏡枠体１５ｂの蝶番部材１９ｂと反対側の縁部に位置しているので、これらのリブ１６ａ、１６ｂにより鏡面を確実に保護することが可能となる。
【００１９】
図３は、開いていた三面鏡１０を閉じる際に、第１袖鏡１４ａは完全に開いたまま、第２袖鏡１４ｂを閉じるところまで閉じた状態の蓋体３０の断面図と、その部分拡大図である。同図に示すように、この状態で第２袖鏡枠体１５ｂの第１袖鏡側端部１７（即ち、第２袖鏡枠体１５ｂにおいて、その蝶番部材１９ｂと反対側の側辺部のうち、該蝶番部材１９ｂから最も遠い部分）が第１袖鏡枠体１５ａの鏡側の面に接している。なお、このように第２袖鏡１４ｂを閉じるところまで閉じた状態で、第２袖鏡枠体１５ｂの第１袖鏡側端部１７が、第１袖鏡枠体１５ａの蝶番部材１９ａを超えて張り出し、例えば、第２袖鏡枠体１５ｂのリブ１６ｂが第１袖鏡枠体１５ａの鏡側の面に接するようにしてもよいが、コンパクト容器１Ａ内での三面鏡１０の収納性の点からは、第２袖鏡枠体１５ｂの第１袖鏡側端部１７が第１袖鏡枠体１５ａの鏡側の面に接するようにすることが好ましい。
【００２０】
また、第２袖鏡枠体１５ｂの前記端部１７の曲率半径Ｒ2 に対して、少なくとも第１袖鏡枠体１５ａの第１袖鏡の蝶番部材１９ａ側縁辺から第１袖鏡１４ａの面内に至る第１袖鏡端部領域Ｐの表面凹凸が十分に滑らかであって、第１袖鏡１４ａを閉じていったときに、第２袖鏡側枠体１５ｂの第１袖鏡側端部１７がこの領域Ｐを滑っていくときに障害となるような大きな凹凸が存在しないのは勿論、この領域Ｐの面材としては、摩擦力が小さく粘着なども起きないような材料が選択されている。
【００２１】
ここで、第２袖鏡枠体１５ｂの端部１７の曲率半径Ｒ2 に対して第１袖鏡端部領域Ｐの表面凹凸が十分に滑らかであるとは、図３の矢印のように第１袖鏡１４ａを閉じるときに、第１袖鏡端部領域Ｐに接している第２袖鏡枠体１５ｂの端部１７がこの第１袖鏡端部領域Ｐ上を蝶番部材１９ａ側から第１袖鏡１４ａの中央部方向へ、障害なく摺動できることをいい、より具体的には、第１袖鏡端部領域Ｐが図３に示すように平坦である場合の他、第２袖鏡枠体１５ｂの端部１７の曲率半径Ｒ2 が、第１袖鏡端部領域Ｐの表面凹凸の曲率半径Ｒ1 （図６Ａ参照）よりも大きい場合や、第１袖鏡端部領域Ｐの表面凹凸の段差の高さｈ（図７Ａ参照）よりも大きい場合等をいう。
【００２２】
なお、第２袖鏡枠体１５ｂの端部１７の曲率半径Ｒ2 の具体的な数値としては、1〜3ｍｍとすることが好ましい。
【００２３】
図３に示すように、第２袖鏡枠体１５ｂが第１袖鏡枠体１５ａの鏡側面に接し、かつ第２袖鏡枠体１５ｂの曲率半径Ｒ2 に対して第１袖鏡端部領域Ｐの表面凹凸を十分に滑らかにすることにより、同図の状態から第１袖鏡１４ａを矢印のように閉じ始めると、図４Ａに示すように、第２袖鏡枠体１５ｂの端部１７は、第１袖鏡枠体１５ａ上を第１袖鏡１４ａの中央部方向に摺動し、さらに、図４Ｂに示すように、第１袖鏡枠体１５ａと第１袖鏡１４ａとの境界部分も超え、図４Ｃに示すように、第２袖鏡１４ｂが開いてくる。このように第１袖鏡１４ａを閉じる操作に伴い、閉じていた第２袖鏡１４ｂが開いてくることにより、コンパクト容器１Ａの使用者は、第１袖鏡１４ａと第２袖鏡１４ｂを閉じる順序が逆であったことを知ることができる。
【００２４】
また、このように第２袖鏡１４ｂが開き始めることにより、第２袖鏡枠体１５ｂの端部１７が第１袖鏡１４ａの閉じる操作の障害となることはないので、第１袖鏡１４ａを無理に閉じようとする操作は起こりえず、第１袖鏡１４ａを閉じることによりその鏡の取付部が破損するという事態をなくすことができる。
【００２５】
これに対して、図８Ａに示すコンパクト容器１Ｘのように、第１袖鏡１４ａを完全に開き、第２袖鏡１４ｂを閉じた状態で、第２袖鏡枠体１５ｂの端部１７が第１袖鏡１４ａの蝶番部材１９ａ近傍にはあっても、第１袖鏡枠体１５ａの鏡側の面に達していない場合には、第１袖鏡１４ａを閉じ始めても第２袖鏡枠体１５ｂは開いてこず、さらに第１袖鏡１４ａを閉じると、図８Ｂに示すように、第２袖鏡枠体１５ｂは第１袖鏡枠体１５ａによって押し込まれてしまい、第１袖鏡１４ａを閉じる操作が第２袖鏡枠体１５ｂによって止められるようになる。
【００２６】
第２袖鏡１４ｂを閉じた状態で、第２袖鏡枠体１５ｂの端部１７が第１袖鏡１４ａの蝶番部材１９ａに達しない程に幅狭に形成され、かつ双方の袖鏡の蝶番部材１９ａ、１９ｂの高さを高く（中央鏡枠体１２の平面から高く突出するように）形成した場合には、第１袖鏡１４ａと第２袖鏡１４ｂの閉じる順序を逆にしても、三面鏡を閉じることはできるが、コンパクト容器内で三面鏡をできるだけ小さく収容し、かつ鏡面をできるだけ広く確保するという要請に応えることができない。
【００２７】
図５のコンパクト容器１Ｂは、図１のコンパクト容器１Ａにおいて、第１袖鏡枠体１５ａの周縁部のリブを、第１袖鏡枠体１５ａの蝶番部材１９ａと反対側に設けるだけでなく（リブ１６ａ）、蝶番部材１９ａの近傍にも設けたものである（リブ１６ａ’）。このようにリブ１６ａ、１６ａ’を設けることにより、コンパクト容器１Ｂを閉じているときの三面鏡１０のがたつきをより確実に防止し、コンパクト容器１Ｂの持ち運び時の揺れや誤って落下させた場合の衝撃に対して鏡を保護することが可能となる。
【００２８】
但し、本発明においては、この蝶番部材１９ａの近傍のリブ１６ａ’の曲率半径Ｒ1 を、第２袖鏡枠体１５ｂの端部１７の曲率半径Ｒ2 よりも小さくする。これにより、図６Ａに示すように、第１袖鏡１４ａを完全に開き、第２袖鏡１４ｂを閉じた状態から第１袖鏡１４ａを閉じ始めると、図６Ｂに示すように第２袖鏡枠体１５ｂの端部１７がリブ１６ａ’に当たるが、第２袖鏡枠体１５ｂの端部１７はこのリブ１６ａ’を超えて第１袖鏡枠体１５ａの表面を摺動することができるので、第１袖鏡１４ａをさらに閉じることが可能となり、図６Ｃに示すように、第２袖鏡１４ｂが開いてくるようになる。
【００２９】
図７Ａのコンパクト容器１Ｃは、図１のコンパクト容器１Ａにおいて、第１袖鏡１４ａの縁部１４ｐを鏡のカケ防止のために予めカットし、その枠体表面に対して鏡面を枠体の背面側に下げて形成したものである。このように第１袖鏡１４ａの縁部１４ｐをカットし、鏡面を下げると、第１袖鏡端部領域Ｐの表面に高さｈの段差と幅Ｗの隙間が形成されることとなるが、本発明においては、この段差の高さｈや隙間の幅Ｗに対して、第２袖鏡枠体１５ｂの端部１７の曲率半径Ｒ2 を大きくする。これにより、図７Ｂに示すように第１袖鏡１４ａを完全に開き、第２袖鏡を閉じた状態から第１袖鏡１４ａを閉じ始めた場合に、第２袖鏡枠体１５ｂの端部１７が段差に当たっても、さらに第１袖鏡１４ａを閉じ続けることができ、第２袖鏡１４ｂが開いてくるようになる。
【産業上の利用可能性】
【００３０】
本発明のコンパクト容器は、ファンデーション、チーク、アイシャドウ等の化粧料を収容する容器として有用である。
【図面の簡単な説明】
【００３１】
【図１Ａ】本発明のコンパクト容器１Ａにおいて、三面鏡を開いた状態の斜視図である。
【図１Ｂ】コンパクト容器１ＡのＸ−Ｘ断面図である。
【図２】コンパクト容器１Ａを閉じた状態の断面図である。
【図３】コンパクト容器１Ａにおいて、第１袖鏡を開いたまま、第２袖鏡を閉じた状態の蓋体の断面図である。
【図４Ａ】図３の状態から第１袖鏡を閉じ始めたときの状態を示す蓋体の断面図である。
【図４Ｂ】図４Ａの状態から引き続き第１袖鏡を閉じている状態を示す蓋体の断面図である。
【図４Ｃ】図４Ｂの状態から引き続き第１袖鏡を閉じている状態を示す蓋体の断面図である。
【図５】本発明のコンパクト容器１Ｂを閉じた状態の断面図である。
【図６Ａ】コンパクト容器１Ｂにおいて、第１袖鏡を開いたまま、第２袖鏡を閉じた状態の蓋体の断面図である。
【図６Ｂ】図６Ａの状態から第１袖鏡を閉じ始めたときの状態を示す蓋体の断面図である。
【図６Ｃ】図６Ｂの状態から引き続き第１袖鏡を閉じている状態を示す蓋体の断面図である。
【図７Ａ】本発明のコンパクト容器１Ｃにおいて、第１袖鏡を開いたまま、第２袖鏡を閉じた状態の蓋体の断面図である。
【図７Ｂ】図７Ａの状態から第１袖鏡を閉じ始めたときの状態を示す蓋体の断面図である。
【図８Ａ】本発明の対照となるコンパクト容器１Ｘにおいて、第１袖鏡を開いたまま、第２袖鏡を閉じた状態の蓋体の断面図である。
【図８Ｂ】図８Ａの状態から第１袖鏡を閉じ始めたときの状態を示す蓋体の断面図である。
【符号の説明】
【００３２】
１Ａ、１Ｂ、１Ｃ    コンパクト容器
１０    三面鏡
１１    中央鏡
１２    中央鏡枠体
１４ａ  第１袖鏡
１４ｂ  第２袖鏡
１５ａ  第１袖鏡枠体
１５ｂ  第２袖鏡枠体
１６ａ、１６ａ’、１６ｂ  リブ
１７    第２袖鏡枠体の端部
１８ａ、１８ｂ  中央鏡枠体の蝶番部材
１９ａ、１９ｂ  袖鏡枠体の蝶番部材
２０    容器本体
２１    スポンジ
３０    蓋体
Ａ    化粧料
Ｐ    第１袖鏡端部領域
【図１Ａ】
0004683211.tif 000002
【図１Ｂ】
0004683211.tif 000003
【図２】
0004683211.tif 000004
【図３】
0004683211.tif 000005
【図４Ａ】
0004683211.tif 000006
【図４Ｂ】
0004683211.tif 000007
【図４Ｃ】
0004683211.tif 000008
【図５】
0004683211.tif 000009
【図６Ａ】
0004683211.tif 000010
【図６Ｂ】
0004683211.tif 000011
【図６Ｃ】
0004683211.tif 000012
【図７Ａ】
0004683211.tif 000013
【図７Ｂ】
0004683211.tif 000014
【図８Ａ】
0004683211.tif 000015
【図８Ｂ】
0004683211.tif 000016